(57)【要約】【課題】  組立てを簡単にして，製品の損傷を最少化することができる，プラズマディスプレイ装置を提供する。【解決手段】  プラズマディスプレイパネル１０と，前記プラズマディスプレイパネル１０を一面に支持固定するシャーシベース２０と，前記シャーシベース２０の他面に固定されて，前記プラズマディスプレイパネル１０を駆動する回路素子が形成される回路基板３０と，前記回路基板３０を任意の距離に維持して前記シャーシベース２０に固定する少なくとも一つのメイン締結ユニット４０とを含み，前記回路基板３０には締結孔３０ａが形成され，前記メイン締結ユニット４０は，前記シャーシベース２０に固定される本体部４１と，前記本体部４１の上側から所定の間隔を有して延長形成されて，その外周面上に係止部４２ａが形成されて前記締結孔３０ａに嵌合締結される締結部４２とを含む，プラズマディスプレイ装置が提供される。【選択図】    図２
2006201741.tif 000002
【特許請求の範囲】
【請求項１】
プラズマディスプレイパネルと；
前記プラズマディスプレイパネルを一面に支持固定するシャーシベースと；
前記シャーシベースの他面に固定されて，前記プラズマディスプレイパネルを駆動する回路素子が形成される回路基板と；
前記回路基板を前記シャーシベースから任意の距離に維持して前記シャーシベースに固定する少なくとも一つのメイン締結ユニットと；
を備え，
前記回路基板には締結孔が形成され，
前記メイン締結ユニットは，
前記シャーシベースに固定される本体部と；
前記本体部から所定の間隔を有して延長形成された締結部と；
を含み，前記締結部の外周面上には，前記締結孔に嵌合締結される係止部が形成された，
プラズマディスプレイ装置。
【請求項２】
前記締結部は，
前記回路基板の前記締結孔を通過した後，前記回路基板を前記シャーシベース側に加圧するように突出形成される第１突起と；
前記締結部より突出形成されて，前記回路基板のシャーシベース側の面と接して支持する第２突起と；
を含み，前記第１突起と前記第２突起との間に前記係止部が形成されることを特徴とする，請求項１に記載のプラズマディスプレイ装置。
【請求項３】
２以上の前記メイン締結ユニットを備え，
２つの前記メイン締結ユニットの間に前記回路基板を前記シャーシベースに固定する補助締結ユニットをさらに含む，請求項１または２に記載のプラズマディスプレイ装置。
【請求項４】
前記補助締結ユニットは，
前記シャーシベースの前記メイン締結ユニットの間にシャーシベースに形成されるボスと；
前記ボスに締結されるねじと；
を含む，請求項３に記載のプラズマディスプレイ装置。
【請求項５】
前記回路基板が前記第１突起及び前記第２突起によって，強固にシャーシベースに支持されるように，前記ボスの高さは前記メイン締結ユニットによって固定される前記回路基板の任意の距離より短く形成される，請求項４に記載のプラズマディスプレイ装置。
【請求項６】
前記メイン締結ユニットは金属材質からなり，前記回路基板を前記シャーシベースにグラウンドさせることを特徴とする，請求項１〜５のいずれか１項に記載のプラズマディスプレイ装置。
【請求項７】
前記補助締結ユニットは金属材質からなり，前記回路基板を前記シャーシベースにグラウンドさせることを特徴とする，請求項３〜５のいずれか１項に記載のプラズマディスプレイ装置。
【発明の詳細な説明】
【技術分野】
【０００１】
本発明は，プラズマディスプレイ装置に関する。
【背景技術】
【０００２】
一般に，プラズマディスプレイ装置は，プラズマ放電を利用して所望の画像を表示する装置である。
【０００３】
このようなプラズマディスプレイ装置は，電源供給によるプラズマ放電を通じて所望の画像が表示されるプラズマディスプレイパネル，プラズマディスプレイパネル側の面でプラズマディスプレイパネルを強固に支持するシャーシベース，そしてプラズマディスプレイパネルを駆動するためにシャーシベースのプラズマディスプレイパネル側とは逆の面に装着される回路基板を含む。
【０００４】
従来のプラズマディスプレイ装置は，このようなプラズマディスプレイモジュール（つまり，プラズマディスプレイパネル，シャーシベース，そして回路基板が順次に結合されたもの）のプラズマディスプレイパネル側にフロントケースが，回路基板側にリアケースが各々結合される。そして，フロントケースは，使用者がプラズマディスプレイパネルから出力される画像を見ることができるように開放部を有する。
【０００５】
このようなプラズマディスプレイ装置を組立てるために，多くの部分でその締結器具としてねじ締結具が使用されている。特に，回路基板をシャーシベースに締結する際には，ねじ締結具が広く使用されている。
【発明の開示】
【発明が解決しようとする課題】
【０００６】
ところが，ねじ締結具を利用した部品の締結は，ねじ締結具に適切なトルクを与えて回転させて締結しなければならないなど，締結にかかる時間が一般に長い。したがって，部品の締結にかかる時間を減少させることができれば，組立て時間の減少に繋がり，生産性を向上させることができるようになる。
【０００７】
また，ねじ締結具を利用して回路基板をシャーシベースに締結する場合には，ねじ締結具を誤って操作することによって回路基板などの部品に損傷が発生することがある。したがって，ねじ締結具に代わる安全な締結方式が実現すれば，プラズマディスプレイ装置の品質を向上させることができるようになる。
【０００８】
そこで，本発明は，このような問題に鑑みてなされたもので，その目的は，締結過程を単純化して，締結過程で製品の損傷を減少させる締結方式で組立てられるプラズマディスプレイ装置を提供することにある。
【課題を解決するための手段】
【０００９】
上記課題を解決するために，本発明のある観点によれば，プラズマディスプレイパネルと，プラズマディスプレイパネルの一面を支持固定するシャーシベースと，シャーシベースの他面に固定されて，プラズマディスプレイパネルを駆動する回路素子が形成される回路基板と，回路基板を任意の距離に維持してシャーシベースに固定する少なくとも一つのメイン締結ユニットとを備え，回路基板には締結孔が形成され，メイン締結ユニットは，シャーシベースに固定される本体部と，本体部から所定の間隔を有して延長形成された締結部と，を含み，該締結部の外周面上には，該締結孔に嵌合締結される係止部が形成された，プラズマディスプレイ装置が提供される。
【００１０】
本発明のプラズマディスプレイ装置は，ねじ締結具を使用せずに回路基板をシャーシベースに締結することが可能になり，その結果，部品の締結にかかる時間を減少させることが出来る。部品の締結にかかる時間を減少させることで，組立て時間の減少を通じて生産性を向上させることが可能になるだけでなく締結過程で製品の損傷を減少させることが可能になる。
【００１１】
また，シャーシベースと回路基板を任意の距離に維持出来ることで，回路基板の電気的安定性を確保することが出来る。
【００１２】
上記締結部は，上記回路基板の締結孔を通過した後，回路基板を上記シャーシベース側に加圧するように突出形成される第１突起と，上記締結部より突出形成されて，回路基板の底面と接して支持する第２突起と，を含み，該第１突起と該第２突起との間に上記係止部が形成されていてもよい。かかる構成によれば，第１突起を締結孔に嵌合させるだけでシャーシベースが回路基板を強力に支持することが可能になり，その結果，回路基板とシャーシベースの組立て工程が簡略化される。
【００１３】
上記プラズマディスプレイ装置は，二つ以上からなるメイン締結ユニットと，二つのメイン締結ユニットの間に形成されて回路基板をシャーシベースに固定する補助締結ユニットとを含んでいてもよい。かかる構成によれば，シャーシベースが回路基板をさらに強力に支持することが出来る。
【００１４】
上記補助締結ユニットは，上記メイン締結ユニットの間で上記シャーシベースに形成されるボスと，ボスに締結されるねじとを含んでいてもよい。
【００１５】
上記ボスの高さは上記メイン締結ユニットによって固定される上記回路基板の任意の距離より短く形成されていてもよい。かかる構成によれば，上記第１突起及び上記第２突起によって，シャーシベースが回路基板をより強力に支持することが出来。
【００１６】
上記メイン締結ユニットは，回路基板をシャーシベースに固定および電気的に接地（グラウンド）させるために，金属材質で出来ていてもよい。
【００１７】
上記補助締結ユニットは，回路基板をシャーシベースに固定および電気的に接地（グラウンド）させるために，金属材質で出来ていてもよい。
【発明の効果】
【００１８】
以上説明したように，本発明によれば，メイン締結ユニットが形成されることによって，組立てが簡単になり，組立て時間を減少させることが出来るだけでなく，製品の損傷を最少化することが出来る。
【発明を実施するための最良の形態】
【００１９】
以下に，添付した図面を参照しながら，本発明の好適な実施の形態について詳細に説明する。なお，本明細書及び図面において，実質的に同一の機能構成を有する構成要素については，同一の符号を付することにより重複説明を省略する。
【００２０】
図１は本実施形態によるプラズマディスプレイ装置を示した分解斜視図である。
【００２１】
図１に示すように，本実施形態に係るプラズマディスプレイ装置は，プラズマディスプレイパネル１０，シャーシベース２０，回路基板３０，そして少なくとも一つのメイン締結ユニット４０を含む。そして，プラズマディスプレイパネル１０，シャーシベース２０，そして回路基板３０が順次に結合されたプラズマディスプレイモジュールの前後に，各々フロントケース１及びリアケース２が結合される。
【００２２】
上記プラズマディスプレイパネル１０は，電源駆動によるプラズマ放電を通じて所望の画像を表示する。
【００２３】
上記シャーシベース２０は，プラズマディスプレイパネル１０の背面にその一面が固定されて，プラズマディスプレイパネル１０を支持する。
【００２４】
上記回路基板３０は，シャーシベース２０の他面に支持されて，プラズマディスプレイパネル１０を駆動する。
【００２５】
図２は本実施形態によるプラズマディスプレイ装置のうちのメイン締結ユニットを示した断面図である。
【００２６】
図２に示すように，メイン締結ユニット４０は，シャーシベースに固定される本体部４１と，この本体部４１の上側から所定の間隔（Ｇ）を有して段差を有して延長形成される締結部４２とからなる。
【００２７】
上記メイン締結ユニット４０は，回路基板３０をシャーシベース２０から所定の距離（Ｈ１）に維持してシャーシベース２０に固定する。ここで，所定の距離（Ｈ１）を有して離隔させる理由は，金属材質のシャーシベース２０によって回路基板３０の電子部品が短絡するのを防ぐためである。
【００２８】
また，締結部が所定の間隔（Ｇ）を有する理由は，締結部４２が回路基板３０の締結孔３０ａに嵌合締結される時に，締結部４２の外径が縮小されながら回路基板３０の締結孔３０ａに円滑に挿入できるようにするためである。
【００２９】
締結部４２の外周面には，回路基板の締結孔に嵌合締結される係止部４２ａが形成される。この係止部４２ａを挟んで第１突起４３，第２突起４４が形成される。
【００３０】
間隔（Ｇ）を挟んで両側に位置する第１突起４３には，回路基板３０の面と平行方向に弾性力が作用する。この弾性力は，第１突起４３の変曲点を過ぎたシャーシベース２０側の傾斜面から，回路基板３０を第２突起４４側に加圧する加圧力として作用するようになる。
【００３１】
したがって，締結部４２が回路基板３０の締結孔に嵌合締結される時には，第１突起４３は回路基板３０の締結孔を通過した後，回路基板３０をシャーシベース２０側に加圧して，第２突起４４は回路基板３０の底面と接してこれを支持固定する。
【００３２】
このように，メイン締結ユニット４０を含むことによって，別途のねじによる結合を行わずにシャーシベース２０に回路基板３０を組立てることができる。つまり，組立てが簡単になり，組立てによる不良率を減少させることができる。
【００３３】
また，回路基板３０をシャーシベース２０から所定の距離（Ｈ１）に維持してシャーシベース２０に固定することによって，回路基板３０の電気的安定性を確保することが出来る。
【００３４】
また，メイン締結ユニット４０は，回路基板３０をシャーシベース２０に固定させるために，材質に金属を用いてもよい。
【００３５】
以下，図３を参照して，本実施形態によるプラズマディスプレイ装置を説明する。
【００３６】
図３は本実施形態によるプラズマディスプレイ装置のうちのメイン締結ユニット及び補助締結ユニットを示した断面図である。
【００３７】
上記メイン締結ユニット４０は，第１メイン締結ユニット４０ａ，第２メイン締結ユニット４０ｂを含むことができる。もちろん，３つ以上のメイン締結ユニットを含んでいてもよい。
【００３８】
本実施形態によるプラズマディスプレイ装置は，第１メイン締結ユニット４０ａ，第２メイン締結ユニット４０ｂの間に，回路基板３０をシャーシベース２０に固定する補助締結ユニット５０が形成されていてもよい。
【００３９】
補助締結ユニット５０は，第１メイン締結ユニット４０ａ，第２メイン締結ユニット４０ｂの間でシャーシベース２０に形成されるボス５１と，ボス５１に締結されるねじ５２とを含んでいてもよい。
【００４０】
さらに，回路基板３０が第１突起４３及び第２突起４４によってさらにシャーシベースに支持されるように，ボス５１の高さ（Ｈ２）は上記所定の距離（Ｈ１）より低く形成されていてもよい。これにより，回路基板をシャーシベースにより強力に支持することが出来る。
【００４１】
また，第１メイン締結ユニット４０ａ，第２メイン締結ユニット４０ｂ及び補助締結ユニット５０は，回路基板３０をシャーシベース２０に固定させるために，材質に金属を用いてもよい。
【００４２】
以上，添付図面を参照しながら，本発明の好適な実施例について詳細に説明したが，本発明はかかる例に限定されないことは言うまでもない。当業者であれば，特許請求の範囲に記載された技術的思想の範疇内において，各種の変更例または修正例に想到し得ることは明らかであり，それらについても当然に本発明の技術的範囲に属するものと了解される。
【図面の簡単な説明】
【００４３】
【図１】本発明の一実施形態によるプラズマディスプレイ装置を示した分解斜視図である。
【図２】本発明の一実施形態によるプラズマディスプレイ装置のうちのメイン締結ユニットを示した断面図である。
【図３】本発明の一実施形態によるプラズマディスプレイ装置のうちのメイン締結ユニット及び補助締結ユニットを示した断面図である。
【符号の説明】
【００４４】
１    フロントケース
２    リアケース
１０    プラズマディスプレイパネル
２０    シャーシベース
３０    回路基板
３０ａ    締結孔
４０    メイン締結ユニット
４０ａ    第１メイン締結ユニット
４０ｂ    第２メイン締結ユニット
４１    本体部
４２    締結部
４２ａ    係止部
４３    第１突起
４４    第２突起
５０    補助締結ユニット
５１    ボス
５２    ねじ
【図１】
2006201741.tif 000003
【図２】
2006201741.tif 000004
【図３】
2006201741.tif 000005